(57)【要約】【課題】モード切替機能が付いたカメラモジュールにおいて、モード切替時の摺動によって生じる磨耗片が受光領域へ侵入するのを防いで、良好な撮影品質を維持する。【解決手段】カメラモジュール１は、外部から入射される光を集光して出射する第１及び第２のレンズ４，６と、このレンズ４，６を保持するバレル２ａと、フランジ部と、フランジ部の下面に形成された凸部８ｄと、下面で凸部８ｄの内周側に形成された環状溝部８ｅとを有し、バレル２ａを保持するバレル保持部８と、バレル保持部８のフランジ部が突出した状態で、且つ、摺動可能な状態でバレル保持部８を収納するバレル収納部３ａと、バレル収納部３ａの上端面に形成されバレル保持部８の凸部８ｄに対応する凹部３ｆと、上端面で凹部３ｆの内周側に形成された環状壁部３ｄとを有する台座３とを有する。【選択図】図３
2009175464.tif 000002
【特許請求の範囲】
【請求項１】
外部から入射される光を集光して出射するレンズと、
前記レンズを保持するバレルと、
フランジ部と、当該フランジ部の下面に形成された凸部と、当該下面で当該凸部の内周側に形成された環状溝部とを有し、前記バレルを保持するバレル保持部と、
前記バレル保持部の前記フランジ部が突出した状態で、且つ、摺動可能な状態で当該バレル保持部を収納するバレル収納部と、当該バレル収納部の上端面に形成され当該バレル保持部の前記凸部に対応する凹部と、当該上端面で当該凹部の内周側に形成された環状壁部とを有する台座マウントと
を有することを特徴とするレンズモジュール。
【請求項２】
前記バレル保持部は、前記台座マウントの前記環状壁部が当該バレル保持部の前記環状溝部に嵌り込んで、当該台座マウントの前記バレル収納部に摺動可能な状態で収納されていることを特徴とする請求項１に記載のレンズモジュール。
【請求項３】
前記台座マウントは、当該台座マウントの前記環状壁部が前記バレル保持部の前記環状溝部に嵌り込んで当該環状壁部と当該環状溝部との間で形成される空隙が、当該バレル保持部の摺動により発生する磨耗片よりも小さいことを特徴とする請求項２に記載のレンズモジュール。
【請求項４】
外部から入射される光を集光して出射するレンズと、
前記レンズを保持するバレルと、
フランジ部と、当該フランジ部の下面に形成された凸部とを有し、前記バレルを保持するバレル保持部と、
前記レンズから出射された光を受光領域にて受光して電気信号に変換して出力する撮像素子と、
前記バレル保持部の前記フランジ部が突出した状態で、且つ、摺動可能な状態で当該バレル保持部を収納するバレル収納部と、当該バレル収納部の上端面に形成され当該バレル保持部の前記凸部に対応する凹部と、前記撮像素子を収納する素子収納部とを有する台座マウントと、
前記バレル保持部が摺動することにより発生する磨耗片を、前記台座マウントの前記バレル収納部に入り込むのを堰き止める堰止手段と
を有することを特徴とするカメラモジュール。
【請求項５】
前記バレル保持部は、当該バレル保持部の外周面のうち前記台座マウントの前記バレル収納部に嵌り込む側の下端面から所定の高さまでの部分が上方の部分よりも肉薄に形成されていることを特徴とする請求項４に記載のカメラモジュール。
【請求項６】
前記バレル保持部は、当該バレル保持部が前記台座マウントの前記バレル収納部内で摺動するとき前記レンズの光軸がずれないように、前記所定の高さの値が決定されることを特徴とする請求項５に記載のカメラモジュール。
【請求項７】
前記バレル保持部は、当該バレル保持部の外周面と前記台座マウントの前記バレル収納部の内周面との離間距離が当該バレル収納部の下方で大きくなるように形成されていることを特徴とする請求項４に記載のカメラモジュール。
【発明の詳細な説明】
【技術分野】
【０００１】
本発明は、携帯電話機等に搭載されるモード切替機能付のレンズモジュール等に関する。
【背景技術】
【０００２】
撮影機能付き携帯電話機や監視用カメラ等に用いられる小型カメラモジュールには、例えば、簡易な方法で標準撮影モード（無限遠モード）と接写モードとを切り替えるモード切替機能付のカメラモジュールが登場してきている。
公報記載の従来技術として、撮影モードの切替機能が付いたカメラモジュールにおいて小型化するために、例えば、光学ユニットを内側に収納保持する円筒状のリード枠体と、このリード枠体と内側で螺合する本体部と、この本体部の底部に取り付けられる固体撮像素子とを有し、リード枠体を回転させることによって本体部内で軸方向に移動して光学ユニットの焦点距離を変化させるカメラにおいて、リード枠体の外周に周方向に断続的でかつ軸方向でずれた複数条のねじ山またはねじ溝を形成し、この多条のねじ山またはねじ溝と螺合するねじ溝またはねじ山を本体部の内周に形成したカメラの技術が存在する（特許文献１参照）。
【０００３】
【特許文献１】特開２００５−１５７２９０号公報（特に段落〔００８６〕参照）
【発明の開示】
【発明が解決しようとする課題】
【０００４】
ここで、モード切替機能が付いたカメラモジュールは、撮像素子に対するレンズの位置（撮像素子とレンズとの距離）を変化させてモードの切り替えを実現するのが一般的である。カメラモジュール内でレンズの位置を移動させ、且つ、移動後の位置にてレンズを固定するには、基準となる面に対してレンズを摺動させることが最も簡易かつ確実な方法である。
しかしながら、基準となる面に対してレンズを摺動させると、この摺動によって生じた磨耗片がカメラモジュール内の受光領域へ侵入して磨耗片が画像に大きく写り込む恐れがある。
【０００５】
本発明は、レンズの位置を切り替えることのできる機能が付いたカメラモジュールにおいて、レンズの摺動によって生じる磨耗片が受光領域へ侵入するのを防いで、良好な撮影品質を維持することを目的とする。
【課題を解決するための手段】
【０００６】
上記課題を解決するために、本発明にかかるレンズモジュールは、外部から入射される光を集光して出射するレンズと、レンズを保持するバレルと、フランジ部と、フランジ部の下面に形成された凸部と、下面で凸部の内周側に形成された環状溝部とを有し、バレルを保持するバレル保持部と、バレル保持部のフランジ部が突出した状態で、且つ、摺動可能な状態でバレル保持部を収納するバレル収納部と、バレル収納部の上端面に形成されバレル保持部の凸部に対応する凹部と、上端面で凹部の内周側に形成された環状壁部とを有する台座マウントとを有することを特徴とする。
【０００７】
ここで、バレル保持部は、台座マウントの環状壁部がバレル保持部の環状溝部に嵌り込んで、台座マウントのバレル収納部に摺動可能な状態で収納されていることを特徴とすれば、台座マウントの環状壁部がバレル保持部の環状溝部に嵌り込んだ状態であっても、バレル保持部の摺動は確保されて、モード切替を行うことができる。
また、台座マウントは、台座マウントの環状壁部がバレル保持部の環状溝部に嵌り込んで環状壁部と環状溝部との間で形成される空隙が、バレル保持部の摺動により発生する磨耗片よりも小さいことを特徴とすれば、バレル保持部の摺動によって発生する磨耗片は環状溝部と環状壁部との空隙を通過しにくくすることで、磨耗片がバレル収納部に侵入することを抑制することができる。
【０００８】
上記課題を解決するために、本発明にかかるカメラモジュールは、外部から入射される光を集光して出射するレンズと、レンズを保持するバレルと、フランジ部と、フランジ部の下面に形成された凸部とを有し、バレルを保持するバレル保持部と、レンズから出射された光を受光領域にて受光して電気信号に変換して出力する撮像素子と、バレル保持部のフランジ部が突出した状態で、且つ、摺動可能な状態でバレル保持部を収納するバレル収納部と、バレル収納部の上端面に形成されバレル保持部の凸部に対応する凹部と、撮像素子を収納する素子収納部とを有する台座マウントと、バレル保持部が摺動することにより発生する磨耗片を、台座マウントのバレル収納部に入り込むのを堰き止める堰止手段とを有することを特徴とする。
【０００９】
ここで、バレル保持部は、バレル保持部の外周面のうち台座マウントのバレル収納部に嵌り込む側の下端面から所定の高さまでの部分が上方の部分よりも肉薄に形成されていることを特徴とすれば、仮に磨耗片がバレル収納部内に入り込んでも、バレル保持部が肉薄に形成されたことでバレル保持部の外周面とバレル収納部との間の空間に磨耗片を閉じ込めるので、磨耗片が撮像素子の受光領域に侵入するのを抑制することができる。
また、バレル保持部は、バレル保持部が台座マウントのバレル収納部内で摺動するときレンズの光軸がずれないように、所定の高さの値が決定されることを特徴とすれば、バレル保持部がバレル収納部内で摺動される際に生じるレンズの光軸のズレを、カメラモジュールの光学系に許容される光軸のズレに対して許容範囲内に抑えることができる。
更に、バレル保持部は、バレル保持部の外周面と台座マウントのバレル収納部の内周面との離間距離がバレル収納部の下方で大きくなるように形成されていることを特徴とすれば、仮に磨耗片がバレル収納部内に入り込んでも、バレル保持部が肉薄に形成されたことでバレル保持部の外周面とバレル収納部との間の空間に磨耗片を閉じ込めるので、磨耗片が撮像素子の受光領域に侵入するのを抑制することができる。
【発明の効果】
【００１０】
本発明によれば、モード切替機能が付いたカメラモジュールにおいて、モード切替時の摺動によって生じる磨耗片が受光領域へ侵入するのを防いで、良好な撮影品質を維持できる。
【発明を実施するための最良の形態】
【００１１】
以下、添付図面を参照して、本発明の実施の形態について詳細に説明する。
図１は、本実施の形態にかかるカメラモジュール１を示す外観斜視図であり、図２は、図１に示すカメラモジュール１の分解斜視図である。
【００１２】
図１及び図２に示すように、カメラモジュール１は、複数のレンズを収納して保持し（図３参照）、センサ１６（図３参照）の受光領域（撮像エリア）１６ａ上に入射光を結像するレンズユニット２と、レンズユニット２を保持する台座マウントの一例としての台座３とを備えている。台座３には、ばね押さえ９が嵌め込まれて取り付けられている。そして、ばね押さえ９と台座３との間からバレル保持部８のレバー８ａが突出している。
台座３は、接着剤（図示省略）を使って回路基板２０に接着されている。回路基板２０において、台座３が接着された位置とは反対側の端にコネクタ２１が接続されている。台座３は、回路基板２０に埋め込まれた図示しない回路パターンによってコネクタ２１に電気的に接続されている。以降、カメラモジュール１の説明において、レンズユニット２に対してセンサ１６側を像側、その逆を物体側と呼ぶことにする。
【００１３】
図２に示すように、カメラモジュール１は、複数のレンズを収納して保持するレンズユニット２と、レンズユニット２を螺合して保持するバレル保持部８とを有している。また、カメラモジュール１は、バレル保持部８に取り付けられるばね１０と、ばね１０を押さえるばね押さえ９とを有している。ばね押さえ９は脚部が台座３の取付穴に嵌め込まれて取り付けられる。
レンズユニット２が螺合されるバレル保持部８は、台座３のバレル収納部３ａ（図３参照）に収納される。また、カメラモジュール１は、外光の特定の周波数成分を除去するフィルタ１５と、受光領域１６ａに入射した光を電気信号に変換する撮像素子の一例としてのセンサ１６（図３参照）と、フィルタ１５とセンサ１６との間に配置された方形のガラスカバー１７とを備えている。
【００１４】
図３は、図１の断面Ｘ−Ｘ’の位置におけるカメラモジュール１の縦断面図である。
図３に示すように、レンズユニット２は、レンズユニット２本体を構成するバレル２ａ内に、入射側に配置される第１のレンズ４と出射側に配置される第２のレンズ６とを保持している。また、レンズユニット２は、第１及び第２のレンズ４，６の間に中間環５を備えている。更に、レンズユニット２は、レンズ押さえ７を有しており、第２のレンズ６を所定位置に保持している。
【００１５】
バレル２ａは、略円筒形状を有している。バレル２ａは、外光が入射する端面側に開口部２ｂが形成されている。バレル２ａの外周面には、雄ねじ２ｃが形成されている。
バレル２ａは、例えば、黒色のポリカーボネート（ＰＣ）樹脂、液晶ポリマー（ＬＣＰ）樹脂、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００１６】
第１及び第２のレンズ４，６は、外光を透過してセンサ１６の受光領域（撮像エリア）１６ａに結像させるための光学素子である。即ち、バレル２ａの開口部２ｂから入射した外光が第１及び第２のレンズ４，６によってセンサ１６の受光領域１６ａに結像させるように、第１及び第２のレンズ４，６が所定の光学系を形成する。尚、本実施の形態では、レンズユニット２は、第１及び第２のレンズ４，６という２枚のレンズで構成されるが、レンズは１枚或いは３枚であっても構わない。所定の光学系は、単一のレンズ又は複数枚のレンズ群で構成される。
第１及び第２のレンズ４，６は、例えば、透明なポリカーボネート（ＰＣ）樹脂や環状オレフィン（ＣＯＰ）樹脂等の熱可塑性樹脂、或いは、シリコーン樹脂やガラスなど透光性を有する材料で構成される。
【００１７】
中間環５は、薄板円環形状を有している。中間環５は、例えば、カーボンブラックを練り込んだ延伸ポリエステル（ＰＥＴ）等の合成樹脂フィルムで構成されている。中間環５は、第１のレンズ４と第２のレンズ６の面間距離を一定に保つと共に、通過光量を制限する絞り機能を有しており、光学系の開口径を決定する光学絞り、或いは、ゴースト、フレア等の不要光を遮光する遮光絞りとして使われる。
レンズ押さえ７は、略円環形状を有している。レンズ押さえ７は、例えば、黒色のポリカーボネート（ＰＣ）樹脂等で構成される。レンズ押さえ７は、図示しない接着剤にてバレル２ａの内壁面に接着されている。
レンズユニット２は、バレル保持部８にねじ込まれる。バレル保持部８の上部にはばね１０が取り付けられ、ばね押さえ９が台座３の所定位置に嵌め込まれることによって、レンズユニット２が螺合されたバレル保持部８は台座３のバレル収納部３ａに収納される。
【００１８】
次に、バレル保持部８の形状を図面を用いて説明する。
図４は、バレル保持部８を下方より見た斜視図である。
バレル保持部８は、例えば、黒色のポリカーボネート（ＰＣ）樹脂、液晶ポリマー（ＬＣＰ）樹脂、ポリブチレンテレフタレート（ＰＢＴ）樹脂、ポリフタルアミド（ＰＦＡ）樹脂、ＰＥＥＫ（ポリエーテルエーテルケトン）樹脂、ポリアセタール（ＰＯＭ）樹脂等の遮光性を有する合成樹脂により構成される。
【００１９】
図４に示すように、バレル保持部８は、概ね円筒形状であって、外周面にレバー８ａが突出して形成されている。このレバー８ａを操作することにより、バレル保持部８は台座３のバレル収納部３ａ（共に図３参照）内で摺動して回転する。また、バレル保持部８は内壁面に、バレル２ａの雄ねじ２ｃ（共に図３参照）と螺合する雌ねじ８ｂが形成されている。
バレル保持部８の上方（図４では下方）、即ち、物体側には、外周に突出してフランジ部８ｃが形成されており、フランジ部８ｃの下面に３個の凸部８ｄが周方向にほぼ均等に形成されている。フランジ部８ｃの下面であって凸部８ｄの内周側には、堰止手段の一例としての環状溝部８ｅが形成されている。この環状溝部８ｅには、後述する台座３の環状壁部３ｄ（共に図３参照）が嵌り込む。この環状壁部３ｄにより、バレル保持部８の凸部８ｄと台座３の凹部３ｆ（共に図５参照）との摺動によって生じる磨耗片が、台座３のバレル収納部３ａ（共に図３参照）内に入り込むのを防いでいる。
また、バレル保持部８は、外周面の下方（図４では上方）が肉薄に形成された肉薄部８ｆを有している。これについては、後述する。
【００２０】
図３に戻って説明を続ける。
バレル保持部８は、レンズユニット２を収納した状態で台座３のバレル収納部３ａにセットされる。このとき、バレル保持部８のフランジ部８ｃ（図４参照）の下面に形成された凸部８ｄが、台座３のバレル収納部３ａの上端面に形成された凹部３ｆ（図５参照）に当接して、レンズユニット２の光軸方向の移動を実現する。
台座３は、レンズユニット２が取り付けられるバレル収納部３ａと、フィルタ１５やセンサ１６、ガラスカバー１７を収容保持する素子収納部３ｂとが一体に構成されている。また、台座３は、バレル収納部３ａの内部空間と素子収納部３ｂの内部空間とが連続するように構成されている。また、台座３は、内面から延びて内部空間を狭めるように形成されたフランジ部３ｃを有する。
【００２１】
ここで、台座３の形状を図面を用いて説明する。
図５は、台座３の斜視図である。
図５に示すように、台座３は、バレル収納部３ａ（図３参照）の上端面に凹部３ｆが複数形成されている。この凹部３ｆにバレル保持部８の凸部８ｄ（共に図４参照）が当接して、レンズユニット２の光軸方向の移動を実現する。本実施の形態では、３つの凹部３ｆが周方向にほぼ均等に形成されている。また、台座３の上端面には、凹部３ｆの内周側に堰止手段の一例としての環状壁部３ｄが形成されている。この環状壁部３ｄは、バレル保持部８の環状溝部８ｅ（共に図４参照）に嵌り込む。
台座３は、例えば、黒色のポリカーボネート（ＰＣ）樹脂、液晶ポリマー（ＬＣＰ）樹脂、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００２２】
図３に戻って説明を続ける。
バレル保持部８の上にはばね１０が配置され、ばね１０の上にはばね１０を押さえるばね押さえ９が配置されている。
ばね押さえ９は、例えば、黒色のポリカーボネート（ＰＣ）樹脂、液晶ポリマー（ＬＣＰ）樹脂、ポリブチレンテレフタレート（ＰＢＴ）樹脂、ポリフタルアミド（ＰＦＡ）樹脂、ＰＥＥＫ（ポリエーテルエーテルケトン）樹脂、ＡＢＳ（アクリロニトリル・ブタジエン・スチレン）樹脂、ポリアセタール（ＰＯＭ）樹脂等の遮光性を有する合成樹脂により構成される。ばね押さえ９は、台座３に嵌め込まれて使用されるので、カメラモジュール１の使用環境下の温度における台座３との膨張差を考慮して材料が選択される。例えば、台座３と同じ材料が好ましい。
ばね１０は、略円環形状で、周方向に山と谷とが交互に且つ略等間隔に複数形成された波状の薄板である。例えば、板厚が０．０５ｍｍ程度のリン青銅やＳＵＳ鋼板等の一般的なばね材で構成される。ばね１０は、ばね押さえ９と共に、バレル保持部８を上方から下方に向かって押し付ける機能を有している。これにより、バレル保持部８のフランジ部８ｃの下面に形成された凸部８ｄ（共に図４参照）が、台座３のバレル収納部３ａの上端面に形成された凹部３ｆ（図５参照）に当接する。
【００２３】
フィルタ１５は、外光の特定の波長成分を除去する薄板の部材である。本実施の形態では、多層膜による光の干渉によって赤外光をカットする赤外線除去フィルタ（ＩＲＣＦ：Infrared Cut Filter）を用いている。フィルタ１５は、台座３のフランジ部３ｃに接着されている。フィルタ１５がフランジ部３ｃに取り付けられたとき、台座３の内部空間はバレル収納部３ａと素子収納部３ｂの２つに仕切られる。このフィルタ１５は、センサ１６の近傍に配置されており、センサ１６側を密閉して磨耗片を含む異物がセンサ１６側に浸入することを防止している。
センサ１６は、ＣＣＤ（Charge Coupled Device）やＣＭＯＳ（Complementary Metal Oxide Semiconductor）等のイメージセンサ（撮像素子）である。本実施の形態では、ＣＳＰ（Chip Scale Package）構造を有するセンサを用いている。センサ１６は、レンズユニット２を介して受光領域１６ａに結像した光に応じて電気信号を生成し、出力する。
【００２４】
ガラスカバー１７は、フィルタ１５とセンサ１６との間に配置されている。ガラスカバー１７には、センサ１６の受光領域１６ａ側の面をガラスカバー１７に向けた状態でセンサ１６が固着されている。これにより、センサ１６の受光領域１６ａに埃等が直接落ちることを防いでいる。
ガラスカバー１７は、方形を有している。ガラスカバー１７は、例えば、ガラス又は石英ガラス等の可視光に対して透光性を有する透明体により構成される。
ガラスカバー１７の出射面（図３における下面）側には、配線パターン１７ａが予め設けられている。そして、この配線パターン１７ａの電極とセンサ１６とを接続するように複数の半田バンプ１８が位置している。電極の位置に取り付けられた半田バンプ１８によって、センサ１６はガラスカバー１７に固定されると共に、ガラスカバー１７の電極と電気的に接続されている。
ここで、センサ１６とガラスカバー１７との離間距離は、半田バンプ１８の大きさによって決定される。半田バンプ１８の大きさを制御することは容易であるから、センサ１６とガラスカバー１７との位置決めを正確に行うことが可能である。また、複数の半田バンプ１８により位置決めすることから、センサ１６とガラスカバー１７との離間距離が平均化される。
【００２５】
ガラスカバー１７の出射面側の電極の別の位置には、半田バンプ１９が配置されている。この半田バンプ１９により、ガラスカバー１７と回路基板２０との間の電気的な接続が確保される。この半田バンプ１９は、ガラスカバー１７に固定されているセンサ１６と回路基板２０とが互いに離間するためのスペーサとしても用いられている。
回路基板２０は、例えば、ポリイミド樹脂を主体とするフレキシブルプリント基板で構成されている。本実施の形態に使用する回路基板２０は、厚さが約０．２ｍｍである。尚、ガラス繊維とエポキシ樹脂を主材とする絶縁性材料で構成され、表面に銅等の導体箔層を形成し、更に導体箔層の上に絶縁体層を被せて保護する湯尾にしても良い。また、回路基板２０で台座３が取り付けられる領域の裏面にはポリイミド樹脂等でできた遮光板が貼り付けられても良い（図示省略）。
【００２６】
（環状溝部と環状壁部）
次に、バレル保持部８のフランジ部８ｃの下面に形成された環状溝部８ｅと台座３のバレル収納部３ａの上端面に形成された環状壁部３ｄについて説明する。
図６は、図３にＰ部として示したカメラモジュール１の拡大断面図である。
図６に示すように、台座３のバレル収納部３ａ（図３参照）内にバレル保持部８が収納されている。台座３の上端面には、凹部３ｆの内周側に環状壁部３ｄが形成されている。また、バレル保持部８のフランジ部８ｃ（図４参照）の下面には、凸部８ｄの内周側に環状溝部８ｅが形成されている。そして、台座３の環状壁部３ｄは、バレル保持部８の環状溝部８ｅに嵌り込んでいる。
台座３の環状壁部３ｄの外周側の壁面とバレル保持部８の環状溝部８ｅの外側の内壁面との空隙は、約０．０２５ｍｍになるように形成されている。台座３とバレル保持部８とが各々の許容公差の範囲内で空隙が最小になるように製作されても、空隙が確保されてバレル保持部８の摺動が阻害されない大きさになっている。従って、空隙は０．１ｍｍ以下とするのが好ましい。
【００２７】
ユーザがレバー８ａ（図１参照）を操作して、センサ１６（図３参照）に対するレンズユニット２（またはバレル保持部８）の位置（センサとレンズとの距離）を標準撮影モード（無限遠モード）と接写モードとの間で切り換えるとき、バレル保持部８がバレル収納部３ａ内で摺動される。このとき、台座３の上端面に形成された凹部３ｆとバレル保持部８に形成された凸部８ｄとによって、バレル保持部８はレンズユニット２の光軸方向に移動する。このとき、凹部３ｆと凸部８ｄとが擦れて、磨耗片が発生することがある。発生する磨耗片のうち撮像品質に影響を与える磨耗片の大きさは３０〜５０μｍ程度である。
台座３の環状壁部３ｄとバレル保持部８の環状溝部８ｅとは、磨耗片の主な発生源である凹部３ｆと凸部８ｄの内周側に形成されており、環状壁部３ｄ外周側と環状溝部８ｅ外周側との空隙は約０．０２５ｍｍになるように形成されている。環状壁部３ｄと環状溝部８ｅとの平面間距離は、互いに接触しないように、約０．０５ｍｍに形成されている。よって、磨耗片は環状壁部３ｄと環状溝部８ｅとを通過してバレル収納部３ａ（図３参照）側に侵入するのを防いでいる。
尚、本実施の形態では、堰止手段の一例として、台座３の上端面に環状壁部３ｄが形成され、バレル保持部８に環状溝部８ｅが形成された例を説明したが、本発明はこれに限定されるものではない。例えば、台座３の上端面に堰止手段の一例としての環状溝部が形成され、バレル保持部８に堰止手段の一例としての環状壁部が形成されてもよい。
【００２８】
（バレル保持部の外周面）
図６に示すように、バレル保持部８の外周面の下方は、肉薄に形成された肉薄部８ｆを有している。即ち、バレル保持部８の外周面と台座３のバレル収納部３ａの内周面との離間距離は、バレル収納部３ａの上方で小さく（本実施の形態では約０．０２５ｍｍ）、下方の肉薄部８ｆの部分では大きくなるように形成されている。バレル保持部８の肉薄部８ｆは、バレル保持部８が台座３のバレル収納部３ａ内で摺動される際にレンズユニット２の光軸がずれないように、バレル保持部８の下方から所定の高さ（本実施の形態では約０．９ｍｍ）まで延在する。更に詳しく述べれば、バレル保持部８の外周面の外径と台座３のバレル収納部３ａの内径とに基づいて計算されるレンズユニット２の光軸のズレの最大値が、カメラモジュール１の光学系に許容される光軸のズレに対して許容範囲内となるように肉薄部８ｆの所定の高さ（距離）は決定される。これにより、両者の離間距離が小さい上方部分で、摺動時のバレル保持部８の傾きを規制している。仮に磨耗片がバレル収納部３ａ内に入り込んでも、離間距離が大きい肉薄部８ｆの部分に磨耗片を閉じ込めるので、バレル保持部８とバレル収納部３ａとの摺動は確保されると共に、磨耗片がフィルタ１５（図３参照）側に侵入するのを防いでいる。尚、本実施の形態においてバレル保持部８の外周面は、肉薄部８ｆで半径方向に約０．０２５ｍｍだけ薄くして、バレル収納部３ａとの接触を防止している。しかしながら、バレル保持部８の強度との兼ね合いで約０．０２５ｍｍ以上薄くして形成しても良い。
【００２９】
以上に説明したように、本実施の形態にかかるカメラモジュール１によれば、台座３のバレル収納部３ａの上端面に形成された凹部３ｆとバレル保持部８のフランジ部８ｃの下端面に形成された凸部８ｄとの内周側に、堰止手段（環状壁部３ｄと環状溝部８ｅ）が形成されている。よって、凹部３ｆと凸部８ｄとの摺動によって生じる磨耗片は、堰止手段によって堰き止められて、バレル収納部３ａ内に入り込むことを抑えることができる。
台座３とバレル保持部８とが各々の許容公差の範囲内で空隙が最小になるように製作されても、空隙が確保されてバレル保持部８の摺動が阻害されない大きさになっている。
撮像品質に影響を与える磨耗片の大きさを考慮して、台座３の環状壁部３ｄの外周側の壁面とバレル保持部８の環状溝部８ｅの外側の内壁面との空隙が形成されている。よって、磨耗片は、環状壁部３ｄと環状溝部８ｅとの空隙を通過できないので、磨耗片がバレル収納部３ａに侵入することを抑えることができる。
【００３０】
バレル保持部８は肉薄部８ｆを有していて、バレル保持部８の外周面と台座３のバレル収納部３ａの内周面との離間距離は、下方の肉薄部８ｆの部分では大きくなるように形成されている。よって、仮に磨耗片がバレル収納部３ａ内に入り込んでも、離間距離が大きい肉薄部８ｆの部分に磨耗片を閉じ込めるので、磨耗片がフィルタ１５側に侵入するのを抑えることができる。
バレル保持部８は肉薄部８ｆを有しているが、バレル保持部８の外周面と台座３のバレル収納部３ａの内周面との離間距離は、バレル収納部３ａの上方で小さくなるように形成されている。よって、バレル保持部８がバレル収納部３ａ内で摺動されてもレンズユニット２の光軸のズレの最大値が、カメラモジュール１の光学系に許容される光軸のズレに対して許容範囲内となる。
【図面の簡単な説明】
【００３１】
【図１】本実施の形態にかかるカメラモジュールの外観斜視図である。
【図２】図１に示すカメラモジュールの分解斜視図である。
【図３】図１に示す断面Ｘ−Ｘ’位置でのカメラモジュールの縦断面図である。
【図４】図１に示すカメラモジュールのバレル保持部の斜視図である。
【図５】図１に示すカメラモジュールの台座の斜視図である。
【図６】図３に示すＰ部として示したカメラモジュールの拡大断面図である。
【符号の説明】
【００３２】
１…カメラモジュール、２…レンズユニット、２ａ…バレル、３…台座（台座マウント）、３ａ…バレル収納部、３ｂ…素子収納部、３ｄ…環状壁部（堰止手段）、３ｆ…凹部、４…第１のレンズ、６…第２のレンズ、８…バレル保持部、８ｃ…フランジ部、８ｄ…凸部、８ｅ…環状溝部（堰止手段）、１６…センサ（撮像素子）
【図１】
2009175464.tif 000003
【図２】
2009175464.tif 000004
【図３】
2009175464.tif 000005
【図４】
2009175464.tif 000006
【図５】
2009175464.tif 000007
【図６】
2009175464.tif 000008